(57)【要約】【課題】安全な操作でスタンドを表示ユニットに仮固定可能とし、仮固定した後で本固定可能にして、スタンドを容易にまた安全に取り付け可能とするスタンドの取り付け構造を提供し、スタンドをリアキャビネットに仮固定可能にすると共に、仮固定の操作とネジ止めの操作が容易で確実になるスタンド装着部を備えるリアキャビネットを提供する。【解決手段】スタンドを所定姿勢に保持するフック部１１と該フック部を補強すると共に前記係合爪部の挿通をガイドする機能を有する補強リブ１２を有する仮固定手段１３を備えるスタンド装着部１０を設け、スタンド５に設ける係合爪部５２をフック部に係合して、スタンド５を表示ユニットＰに仮固定し、仮固定した後、止めネジＢ１を用いて本固定する取り付け構造とした。また、このスタンド装着部１０を備えるリアキャビネット１として、スタンド５をリアキャビネット１に仮固定した後でネジ止めする構成とした。【選択図】図１
2011027872.tif 000002
【特許請求の範囲】
【請求項１】
液晶モジュールとフロントキャビネットとリアキャビネットを備える表示ユニットにスタンドを取り付けるスタンドの取り付け構造であって、
前記表示ユニットに、前記スタンドを所定姿勢に保持するフック部と該フック部を補強すると共に前記係合爪部の挿通をガイドする機能を有する補強リブを有する仮固定手段を備えるスタンド装着部を設け、
前記スタンドに、前記フック部に係合する係合爪部を設け、前記フック部に前記係合爪部を係合して、前記スタンドを前記表示ユニットに仮固定し、仮固定した後、止めネジを用いて本固定することを特徴とするスタンドの取り付け構造。
【請求項２】
前記スタンド装着部に前記仮固定手段に加えて第一ネジ挿通孔を設け、
前記スタンドが、台座と該台座から突出したスタンド頂部とを備え、該スタンド頂部に、前記係合爪部に加えて、前記フック部の挿通を許可するフック挿通部と、前記第一ネジ挿通孔と連通する第二ネジ挿通孔とを設け、
前記係合爪部を前記フック部に係合させるように、前記スタンド頂部を前記スタンド装着部に嵌め込んで仮固定し、仮固定した後で、前記止めネジを前記第一、第二ネジ挿通孔を貫通させてネジ固定して本固定することを特徴とする請求項１に記載のスタンドの取り付け構造。
【請求項３】
前記補強リブを前記フック部の長さ方向に櫛歯状に複数設け、その高さを前記フック部の高さとし、その長さを前記スタンド装着部に人の指が入らない程度の長さとし、隣接する補強リブ間の間隔も人の指が入らない程度の間隔とし、
前記係合爪部に、前記補強リブの挿通を許可する開口溝部を櫛歯状に設け、当該爪部の全長を前記フック部の長さと同等な長さとしていることを特徴とする請求項１または２に記載のスタンドの取り付け構造。
【請求項４】
前記開口溝部を前記補強リブに沿わせながら、前記スタンドを前記スタンド装着部に装着して、前記係合爪部を前記フックに係合させることを特徴とする請求項３に記載のスタンドの取り付け構造。
【請求項５】
前記スタンド装着部を前記リアキャビネットの底部に設け、前記スタンド装着部のユニット内部に、前記第一ネジ挿通孔に連なるネジ孔を有するスタンドホルダを配設し、前記止めネジを介してスタンドとリアキャビネットとを前記スタンドホルダに共締めして本固定することを特徴とする請求項２から４のいずれかに記載のスタンドの取り付け構造。
【請求項６】
液晶モジュールをフロントキャビネットと共に保持して表示ユニットを構成するリアキャビネットであって、
前記表示ユニットを正立状態に支持するスタンドを装着するスタンド装着部を設け、該スタンド装着部に、前記スタンドに設ける係合爪部を引っ掛けて前記スタンドを所定姿勢に維持するフック部と、該フック部を補強すると共に前記係合爪部の挿通をガイドする機能を有する補強リブを備えて、前記スタンドを所定位置に所定姿勢で仮固定する仮固定手段を設けたことを特徴とするリアキャビネット。
【請求項７】
前記スタンド装着部が、その周囲を包囲する周壁リブを備えていると共に、前記補強リブに対向する側の周壁リブを前記フック部の長さの分欠落させた構成として、前記周壁リブと前記フック部と前記補強リブを一体成型する樹脂成型品としたことを特徴とする請求項６に記載のリアキャビネット。
【請求項８】
前記補強リブを前記フック部の長さ方向に櫛歯状に複数設け、その高さを前記フック部の高さとし、その長さを前記スタンド装着部に人の指が入らない程度の長さとし、隣接する補強リブ間の間隔も人の指が入らない程度の間隔としていることを特徴とする請求項６または７に記載のリアキャビネット。
【発明の詳細な説明】
【技術分野】
【０００１】
本発明は、液晶ディスプレイなどの薄型の表示ユニットを成立状態に支持するスタンドの取り付け構造およびリアキャビネットに関する。
【背景技術】
【０００２】
従来、液晶パネルと駆動装置を備える液晶モジュールを、フロントキャビネットとリアキャビネットで挟持して表示ユニットを構成し、この表示ユニットを正立状態に支持するスタンドを取り付けた表示装置が知られている。
【０００３】
このスタンドの多くは表示ユニットの下側や裏側に連結されており、表示ユニットを構成する筐体（例えば、リアキャビネット）の所定位置にネジ止めされた構成とされる。また、このネジ止めを容易に行うためには、スタンドを表示ユニットの所定位置に仮固定して、その後でネジ止め可能な構成であることが好ましい。そのために、スタンド側に設ける係合片部を取付枠側に設ける係合孔部に仮結合して、その後でネジ止めして固定可能なスタンド付きテレビジョン受像機（例えば、特許文献１参照）が既に提案されている。
【０００４】
また、リアキャビットにネジ挿通孔を設け、この内側にネジ孔を有する保持部材を配設して外側に配設するスタンド部材をネジ固定することも可能であり、例えば、リアキャビネットの内面側にフック部を設け、このフック部にフック係合孔を有する保持部材を仮固定して、リアキャビネットの外面側からスタンド部材を装着して、リアキャビネットに設けるネジ挿通孔から止めネジを挿通して、保持部材側に設けるネジ孔にネジ固定する液晶テレビジョンおよび表示装置（例えば、特許文献２参照）が既に提案されている。
【０００５】
また、表示ユニットとスタンドとが分割梱包されていて、これを購入したユーザー自身が、表示ユニットとスタンドを組み付け操作を行うタイプの表示装置もある。この際に、スタンドを表示ユニットの所定位置に仮固定し、その後でネジ止めする構成であれば、位置合わせとネジ止めが容易となり、スタンドを取り付ける操作をユーザー自身が容易にまた安全に行うことができる。
【先行技術文献】
【特許文献】
【０００６】
【特許文献１】特開２００９−３８５４０号公報
【特許文献２】特開２００６−１７３８４９号公報
【発明の概要】
【発明が解決しようとする課題】
【０００７】
表示装置を購入したユーザー自身が、表示ユニットとスタンドとを組み付ける場合には、特に、操作容易性と操作の安全性が求められる。この操作容易性と操作の安全性を両立させるためには、スタンドを本体側に仮固定可能にしてネジ止めするだけでなく、仮固定部のフック部材などが破損し難い構成であることや、仮固定してネジ止めする操作を指詰めすることなく安全に行うことが可能な構成であることが好ましい。
【０００８】
上記特許文献１、２に記載されたテレビジョンは、共に、仮固定した後でネジ止めして本固定可能な構成ではあるが、いずれもが、取り付け操作の際に、指詰めを防止する工夫はなされておらず、表示装置を購入したユーザー自身が組み付ける際に、十分に安全とはいえない。
【０００９】
また、ユーザー自身が組み付けを行う際には、スタンドの上に表示ユニットを載置して固定する方法よりも、テーブルなどに載置した表示ユニットに軽量なスタンド部材を装着する方法がより安全であり、また、より簡単な取り付け方法となる。
【００１０】
そのために、表示ユニットを水平に寝かせた時に、横向きになる底部にスタンドを装着する方法が好ましく、この際に、スタンドを設置する所定位置に、傾くことなく所定の姿勢で仮固定可能であることが好ましい。さらに、仮固定した状態のスタンドを片手で保持する必要もなく、そのまま、ネジ止め可能であることが好ましい。
【００１１】
また、液晶モジュールをフロントキャビネットとリアキャビネットで構成する筐体内に保持するタイプの表示ユニットでは、リアキャビネットの底面部にスタンド装着部を設けることが好ましく、このスタンド装着部に、指詰めすることなく安全に仮固定可能な構成の仮固定手段を設けることが好ましい。また、ネジ止めして本固定する操作も容易であることが好ましく、さらに、破損し難い構成の仮固定手段であることが好ましい。
【００１２】
本発明は、上記問題点に鑑み、安全な操作でスタンドを表示ユニットに仮固定可能とし、仮固定した後で本固定可能にして、スタンドを容易にまた安全に取り付け可能とするスタンドの取り付け構造を提供し、スタンドをリアキャビネットに仮固定可能にすると共に、仮固定の操作とネジ止めの操作が容易で確実になるスタンド装着部を備えるリアキャビネットを提供することを目的とする。
【課題を解決するための手段】
【００１３】
上記目的を達成するために本発明は、液晶モジュールとフロントキャビネットとリアキャビネットを備える表示ユニットにスタンドを取り付けるスタンドの取り付け構造であって、前記表示ユニットに、前記スタンドを所定姿勢に保持するフック部と該フック部を補強すると共に前記係合爪部の挿通をガイドする機能を有する補強リブを有する仮固定手段を備えるスタンド装着部を設け、前記スタンドに、前記フック部に係合する係合爪部を設け、前記フック部に前記係合爪部を係合して、前記スタンドを前記表示ユニットに仮固定し、仮固定した後、止めネジを用いて本固定することを特徴としている。
【００１４】
この構成によると、フック部と補強リブを備える仮固定手段を介してスタンドを表示ユニットのスタンド装着部に所定の姿勢で仮固定するので、仮固定した後で止めネジを用いて共締めしてスタンドと表示ユニットとを堅固に固定することができる。また、補強リブがフック部の補強と、係合爪部の挿通をガイドする機能を有するので、フック部を破損せずに仮固定の操作を容易にまた安全に行うことができ、スタンドを容易にまた安全に取り付け可能とするスタンドの取り付け構造となる。
【００１５】
また本発明は、上記構成のスタンドの取り付け構造において、前記スタンド装着部に前記仮固定手段に加えて第一ネジ挿通孔を設け、前記スタンドが、台座と該台座から突出したスタンド頂部とを備え、該スタンド頂部に、前記係合爪部に加えて、前記フック部の挿通を許可するフック挿通部と、前記第一ネジ挿通孔と連通する第二ネジ挿通孔とを設け、前記係合爪部を前記フック部に係合させるように、前記スタンド頂部を前記スタンド装着部に嵌め込んで仮固定し、仮固定した後で、前記止めネジを前記第一、第二ネジ挿通孔を貫通させてネジ固定して本固定することを特徴としている。この構成によると、フック部と補強リブを備える仮固定手段を介してスタンドを表示ユニットのスタンド装着部に所定の姿勢で仮固定するので、仮固定した後で止めネジを用いて共締めしてスタンドと表示ユニットとを堅固に固定することができ、操作が容易なスタンドの取り付け構造となる。
【００１６】
また本発明は、上記構成のスタンドの取り付け構造において、前記補強リブを前記フック部の長さ方向に櫛歯状に複数設け、その高さを前記フック部の高さとし、その長さを前記スタンド装着部に人の指が入らない程度の長さとし、隣接する補強リブ間の間隔も人の指が入らない程度の間隔とし、前記係合爪部に、前記補強リブの挿通を許可する開口溝部を櫛歯状に設け、当該爪部の全長を前記フック部の長さと同等な長さとしていることを特徴としている。この構成によると、スタンド頂部とスタンド装着部の隙間やフック部と係合爪部との隙間に指を詰める虞もなく、安全に仮固定操作とネジ止め操作を行うことができるスタンドの取り付け構造となる。
【００１７】
また本発明は、上記構成のスタンドの取り付け構造において、前記開口溝部を前記補強リブに沿わせながら、前記スタンドを前記スタンド装着部に装着して、前記係合爪部を前記フックに係合させることを特徴としている。この構成によると、リアキャビネット側の補強リブにスタンド側の開口溝部を沿わせながらスタンドを所定の位置に装着することができ、操作中に指を詰める虞もなく、安全にまた確実に仮固定操作とネジ止め操作を行うことができるスタンドの取り付け構造となる。
【００１８】
また本発明は、上記構成のスタンドの取り付け構造において、前記スタンド装着部を前記リアキャビネットの底部に設け、前記スタンド装着部のユニット内部に、前記第一ネジ挿通孔に連なるネジ孔を有するスタンドホルダを配設し、前記止めネジを介してスタンドとリアキャビネットとを前記スタンドホルダに共締めして本固定することを特徴としている。この構成によると、スタンドを表示ユニットのスタンド装着部に所定の姿勢で仮固定して、仮固定した後で止めネジを用いてスタンドホルダに共締めしてスタンドをリアキャビネットに堅固に固定することができ、スタンドを表示ユニットに取り付ける操作が容易なスタンドの取り付け構造となる。
【００１９】
また本発明は、液晶モジュールをフロントキャビネットと共に保持して表示ユニットを構成するリアキャビネットであって、前記表示ユニットを正立状態に支持するスタンドを装着するスタンド装着部を設け、該スタンド装着部に、前記スタンドに設ける係合爪部を引っ掛けて前記スタンドを所定姿勢に維持するフック部と、該フック部を補強すると共に前記係合爪部の挿通をガイドする機能を有する補強リブを備えて、前記スタンドを所定位置に所定姿勢で仮固定する仮固定手段を設けたことを特徴としている。
【００２０】
この構成によると、フック部と補強リブを備える仮固定手段を介してスタンドをリアキャビネットのスタンド装着部に所定の姿勢で仮固定するので、仮固定した後でネジ止めして簡単に固定することができる。また、補強リブがフック部の補強と、係合爪部の挿通をガイドする機能を有するので、フック部を破損せずに仮固定の操作を容易にまた安全に行うことができる。
【００２１】
また本発明は、上記構成のリアキャビネットにおいて、前記スタンド装着部が、その周囲を包囲する周壁リブを備えていると共に、前記補強リブに対向する側の周壁リブを前記フック部の長さの分欠落させた構成として、前記周壁リブと前記フック部と前記補強リブを一体成型する樹脂成型品としたことを特徴としている。この構成によると、周壁リブを備えるスタンド装着部に、補強リブを備えるフック部を設けた構成のリアキャビネットを一体成型可能としているので、大量生産可能であり製造コストを低減することができる。
【００２２】
また本発明は、上記構成のリアキャビネットにおいて、前記補強リブを前記フック部の長さ方向に櫛歯状に複数設け、その高さを前記フック部の高さとし、その長さを前記スタンド装着部に人の指が入らない程度の長さとし、隣接する補強リブ間の間隔も人の指が入らない程度の間隔としていることを特徴としている。この構成によると、リアキャビネット側のフック部にスタンド側の係合爪部を係合して仮固定してネジ止めする操作の際に、スタンド頂部とスタンド装着部の隙間やフック部と係合爪部との隙間に指を詰める虞もなく、安全に仮固定操作とネジ止め操作を行うことができる。
【発明の効果】
【００２３】
本発明によれば、スタンドを所定姿勢に保持するフック部と該フック部を補強すると共に前記係合爪部の挿通をガイドする機能を有する補強リブを有する仮固定手段を備えるスタンド装着部を設け、スタンドに設ける係合爪部をフック部に係合して、スタンドを表示ユニットに仮固定し、仮固定した後、止めネジを用いて本固定する取り付け構造としたので、仮固定の操作とネジ止めの操作が容易で確実となって、スタンドを容易にまた安全に取り付け可能なスタンドの取り付け構造を得ることができる。また、スタンド装着部に、スタンドに設ける係合爪部を引っ掛けてスタンドを所定姿勢に維持するフック部と、該フック部を補強すると共に係合爪部の挿通をガイドする機能を有する補強リブを備える仮固定手段を設けたリアキャビネットとしたので、仮固定の操作とネジ止めの操作が容易で確実となって、スタンドを容易にまた安全に取り付け可能なリアキャビネットを得ることができる。
【図面の簡単な説明】
【００２４】
【図１】本発明に係るスタンドの取り付け構造を備える表示装置の概略説明図である。
【図２】スタンド装着部の拡大説明図であって、（ａ）に全体斜視図を示し、（ｂ）に要部側面図を示す。
【図３】スタンド頂部の拡大説明図であって、（ａ）に平面図を示し、（ｂ）に断面斜視図を示す。
【図４】スタンドを表示ユニットに取り付ける手順を示す概略説明図であって、（ａ）に仮固定する状態を示し、（ｂ）にネジ固定する状態を示す。
【発明を実施するための形態】
【００２５】
以下に本発明の実施形態を図面を参照して説明する。また、同一構成部材については同一の符号を用い、詳細な説明は適宜省略する。
【００２６】
本実施形態のスタンドの取り付け構造は、例えば、図１に示すように、液晶モジュール２とフロントキャビネット３とリアキャビネット１を備える表示ユニットＰにスタンド５を取り付ける構造であって、表示ユニットＰに設けるスタンド装着部１０にスタンド５を嵌め込むようにして装着している。また、スタンド装着部１０に設けるフック部１１にスタンド５側に設ける係合爪部５２を係合させる取り付け構造である。
【００２７】
スタンド装着部１０は表示ユニットＰを構成する筐体のいずれかに設ければよく、本実施形態ではリアキャビネット１の底部に設ける構成としている。そのために、本実施形態では、スタンド装着部１０を備えるリアキャビネット１と液晶モジュール２とフロントキャビネット３とスタンドホルダ４とを組み合わせて表示ユニットＰを構成し、このスタンド装着部１０にスタンド５を取り付けて表示装置ＴＶを一体構成している。
【００２８】
スタンド５は台座と該台座から突出したスタンド頂部５１を備えている。スタンド頂部５１は、リアキャビネット１に設けられるスタンド装着部１０に嵌め込まれて装着される取り付け部であって、リアキャビネット１の底面部に形成されるスタンド装着部１０にスタンド頂部５１を嵌め込んで、止めネジＢ１をスタンドホルダ４にねじ込むようにして、スタンド５とリアキャビネット１とを共締めしている。
【００２９】
また、スタンド装着部１０に設けるフック部１１と、スタンド頂部５１に設ける係合爪部５２とを引っ掛けるように係合して、その仮固定位置を規制している。さらに、フック部１１を補強すると共に係合爪部５２の挿通をガイドする機能を有する補強リブ１２（図２参照）に沿って、係合爪部５２を係合させるので、スタンド５を容易にまた安全に取り付け可能なスタンドの取り付け構造となる。
【００３０】
次に、図２を用いてスタンド装着部１０についてさらに詳細に説明する。
【００３１】
図２（ａ）に示すように、スタンド装着部１０はリアキャビネット１の底面部に設けられており、凹状に形成された、もしくは周壁リブ１４に包囲された形状とされる。また、フック部１１と補強リブ１２を有する仮固定手段１３を備え、止めネジが挿通する複数の第一ネジ挿通孔１５を有する構成とされる。１６は円柱状ガイドであって、前述したスタンド５のスタンド頂部５１を嵌め込む際の位置合わせガイドとなる。
【００３２】
フック部１１は、図２（ｂ）に示すように、リアキャビネット１のフレームから突出した立設片１１ａと該立設片１１ａの先端部から屈曲した屈曲片１１ｂを備えて断面Ｌ字状とされており、この屈曲片１１ｂにスタンド５に設ける係合爪部５２を引っ掛けるように係合させて、スタンド５を所定姿勢に維持する機能を有する。また、補強リブ１２は、フック部１１の長さＬ１方向に複数設けられており、フック部１１を補強すると共に前記係合爪部５２の挿通をガイドする機能を有する。
【００３３】
補強リブ１２を、フック部１１の長さ方向に櫛歯状に複数（例えば、図中に示す３個）設け、係合爪部５２も、この補強リブ１２の挿通を許可する複数の開口溝部５３（図３参照）を櫛歯状に設ける構成とし、当該爪部の全長を前記フック部の長さと同等な長さとすることで、開口溝部５３を補強リブ１２に沿わせるように嵌め込むことで、係合爪部５２をフック部１１に係合させることができる。
【００３４】
このように、スタンド側の係合爪部５２とリアキャビネット側のフック部１１と補強リブ１２とを、噛合う構成の櫛歯状とすることで、係合爪部５２がガイドされながらフック部１１に係合して、しっかり引っ掛かる構成となる。
【００３５】
また、補強リブ１２の高さＨを前記フック部１１の高さとし、その長さＥをスタンド装着部１０に人の指が入らない程度の長さとし、隣接する補強リブ間の間隔も人の指が入らない程度の間隔としている。この構成であれば、係合爪部５２が設けられているスタンド頂部とスタンド装着部１０の隙間やフック部１１と係合爪部５２との隙間に指を詰める虞が生じず、安全にスタンドの仮固定操作とネジ止め操作を行うことができる。
【００３６】
また、周壁リブ１４の一部を長さＬ２欠落させた構成としている。この欠落された長さＬ２は、フック部１１の長さＬ１より少し大きな長さである。このように、周壁リブ１４に囲まれた内部にフック部１１と補強リブ１２を備えた構成であっても、このフック部１１と補強リブ１２に対向する側の周壁リブ１４をフック部１１の長さＬ１の分欠落させた構成とすることで、上型と下型とを用いた一体成型が可能な構成となって、スタンド装着部１０を備える複雑な形状のリアキャビネット１を樹脂成型品で一体に製造することができる。
【００３７】
このように、周壁リブ１４で囲まれた領域に、フック部１１と補強リブ１４を備える仮固定手段１３を有する構成のスタンド装着部１０を配設した構造のリアキャビネット１を一体成型可能としているので、大量生産可能な構成となって、このリアキャビネット１の製造コストを低減することができる。
【００３８】
次に、図３を用いて、係合爪部５２についてさらに詳細に説明する。
【００３９】
図３（ａ）に示すように、係合爪部５２は、スタンド頂部５１の先端に設ける大きな開口部のフック挿通部５４と、小さな開口部の複数の開口溝部５３を介して櫛歯状とされている。フック挿通部５４は、フック部１１より大きな開口部であってフック部１１の挿通を許可し、スタンド頂部５１のスタンド装着部１０への嵌め込みを可能としている。
【００４０】
５５は第二ネジ挿通孔であって、スタンド５をスタンド装着部１０に仮固定した状態で、前述したスタンド装着部１０に設けられた第一ネジ挿通孔１５に連通している。そのために、この第一ネジ挿通孔１５と第二ネジ挿通孔５５を挿通する止めネジＢ１を前述したスタンドホルダ４のネジ孔にねじ込んで、スタンド５とリアキャビネット１とをスタンドホルダ４に共締めすることができる。
【００４１】
５６は、前述した円柱状ガイド１６に嵌め込むガイド孔であって、スタンド５を取り付ける際に、フック部１１と係合爪部５２とを係合させる嵌め込み動作を容易とするために長穴状とされている。
【００４２】
また、図３（ｂ）のＡ−Ａ断面に示すように、フック挿通部５４の開口縁部に補強用リブ５７を設けて、大きな開口部となっているフック挿通部５４周辺の部品強度を向上させる構成としている。
【００４３】
このように、リアキャビネット１に設けるスタンド装着部１０のフック部１１に、スタンド頂部５１に形成した係合爪部５２を係合させて、スタンド５を装着することができる。また、フック部１１に係合爪部５２を引っ掛けるので、表示ユニットＰを寝かした状態で、スタンド５を装着して所定の姿勢に仮固定することができる。
【００４４】
上記したように、フック部１１と補強リブ１２を備える仮固定手段１３を介してスタンド５をリアキャビネット１のスタンド装着部１０に所定の姿勢で仮固定するので、仮固定した後でネジ止めして簡単に固定することができる。また、補強リブ１２がフック部１１の補強と、係合爪部５２の挿通をガイドする機能を有するので、フック部１１を破損せずに仮固定の操作を容易にまた安全に行うことができる。
【００４５】
例えば、図４（ａ）に示すように、テーブルに表示ユニットＰを寝かせる。この際、フック部１１が上向きになるように、リアキャビネット１を上にして寝かせる。この表示ユニットＰに、スタンド５を図中に示す操作軌道Ｄ１に沿って回動しながら嵌め込み動作を行い、フック部１１に係合爪部５２を係合させて、スタンド５を仮固定する。
【００４６】
スタンド５を操作軌道Ｄ１に沿って回動しながら嵌め込むので、この嵌め込み操作が可能となる程度に、スタンド装着部１０よりもスタンド頂部５１が小さくされており、ガイド孔５６が長穴状とされている。
【００４７】
次に、図４（ｂ）に示すように、止めネジＢ１をドライバ７を用いてねじ込み、図中の矢印Ｄ２方向に押圧してしっかりネジ固定する。この止めネジＢ１をネジ固定するネジ孔は、表示ユニットＰを構成する液晶モジュールとフロントキャビネットを固定しているスタンドホルダ４に設けられているので、このスタンドホルダ４にリアキャビネット１とスタンド５をしっかりネジ固定することができ、表示ユニットＰにスタンド５を固着することができる。
【００４８】
上記したスタンドの取り付け構造は、スタンドの台座から突出したスタンド頂部に係合爪部を設け、リアキャビネットのスタンド装着部にフック部を設けて、これらを係合させて仮固定し、仮固定した後で、スタンド側の第二ネジ挿通孔から止めネジを差し込み、リアキャビネットの第一ネジ挿通孔を挿通して奥のスタンドホルダのネジ穴にねじ込んでネジ固定する取り付け構造である。
【００４９】
そのために、スタンドを表示ユニットＰに一旦仮固定して、仮固定した後で止めネジを用いて共締めしてスタンドとリアキャビネットとを堅固に固定することができ、ネジ止めの際に表示ユニットＰやスタンドを手で押え付けておく必要がなく、取り付け容易なスタンド取り付け構造となる。
【００５０】
また上記構成のスタンドの取り付け構造において、補強リブをフック部の長さ方向に櫛歯状に複数設け、その高さを前記フック部の高さとし、その長さを前記スタンド装着部に人の指が入らない程度の長さとし、隣接する補強リブ間の間隔も人の指が入らない程度の間隔とし、前記係合爪部に、前記補強リブの挿通を許可する開口溝部を櫛歯状に設け、当該爪部の全長を前記フック部の長さと同等な長さとしているので、スタンド頂部とスタンド装着部の隙間やフック部と係合爪部との隙間に指を詰める虞もなく、安全に仮固定操作とネジ止め操作を行うことができるスタンドの取り付け構造となる。
【００５１】
さらに、スタンド装着部が、その周囲を包囲する周壁リブを備えていると共に、補強リブに対向する側の周壁リブをフック部の長さの分欠落させた構成として、周壁リブとフック部と補強リブを一体成型する樹脂成型品としたので、周壁リブを備えるスタンド装着部に、補強リブを備えるフック部を設けた構成のリアキャビネットを大量生産することができ製造コストを低減することができる。
【００５２】
また、本実施形態では、リアキャビネットにスタンド装着部を設けているので、フック部と補強リブを備える仮固定手段を介してスタンドをリアキャビネットのスタンド装着部に所定の姿勢で仮固定することができる。また、仮固定した後でネジ止めして簡単に確実に本固定することができる。また、補強リブがフック部の補強と、係合爪部の挿通をガイドする機能を有するので、フック部の破損を抑制して仮固定の操作を容易にまた安全に行うことができる。
【００５３】
また、フック部に櫛歯状の補強リブを設けて、フック部をさらに強固に補強すると共に、スタンド頂部とスタンド装着部の隙間やフック部と係合爪部との隙間に指を詰めることを防止可能にしているので、安全に仮固定操作とネジ止め操作を行うことができる。
【００５４】
以上、液晶モジュールを備える表示ユニットにスタンドを装着するスタンドの取り付け構造について、また、スタンド装着部を備えるリアキャビネットについて説明してきたが、本発明に係るスタンドの取り付け構造は、液晶モジュール以外の表示画面を備える表示ユニットのスタンドの取り付け構造に適用することができる。また、表示ユニット以外のものであっても、本体部とスタンド部とを組み付ける構成であれば、本発明に係るスタンドの取り付け構造を適用することができる。
【００５５】
上記したように、本発明に係るスタンドの取り付け構造によれば、表示ユニットにフック部と補強リブを有する仮固定手段を備えるスタンド装着部を設け、スタンドに係合爪部を設けて、この係合爪部をフック部に係合させてスタンドを表示ユニットに仮固定し、仮固定した後、止めネジを用いて本固定する取り付け構造としたので、仮固定の操作とネジ止めの操作が容易で確実となって、スタンドを容易にまた安全に取り付け可能なスタンドの取り付け構造を得ることができる。
【００５６】
また、本発明に係るリアキャビネットによれば、スタンド装着部に、スタンドに設ける係合爪部を引っ掛けてスタンドを所定姿勢に維持するフック部と、該フック部を補強すると共に係合爪部の挿通をガイドする機能を有する補強リブを備える仮固定手段を設けた構成としたので、仮固定の操作とネジ止めの操作が容易で確実となって、スタンドを容易にまた安全に取り付け可能なリアキャビネットを得ることができる。
【産業上の利用可能性】
【００５７】
そのために、本発明に係るスタンドの取り付け構造およびリアキャビネットは、表示ユニットとスタンドとが分割梱包されていて、これを購入したユーザー自身が、表示ユニットとスタンドを組み付け操作を行うタイプの表示装置に好適に適用することができる。
【符号の説明】
【００５８】
１    リアキャビネット
２    液晶モジュール
３    フロントキャビネット
４    スタンドホルダ
５    スタンド
１０    スタンド装着部
１１    フック部
１２    補強リブ
１３    仮固定手段
１４    周壁リブ
１５    第一ネジ挿通孔
１６    円柱状ガイド
５１    スタンド頂部
５２    係合爪部
５３    開口溝部
５４    フック挿通部
５５    第二ネジ挿通孔
【図１】
2011027872.tif 000003
【図２】
2011027872.tif 000004
【図３】
2011027872.tif 000005
【図４】
2011027872.tif 000006